(57)【要約】      （修正有）【課題】様々な大きさの、様々な体形の四つ足の犬が雨の中で、トンネル、屋根、家などの中や下に入り、トンネル、屋根、家などの前後から頭と首の上や、腰と尾の上または尾の上にバイザーや傘などをさしかけたようにして歩くことができる犬の体への取付用具の提供。【解決手段】剛性が大きくて硬い前から見て曲線部が円弧状のＵ字を逆さまにした形状の板状物１の内面にしなやかな前から見て曲線部が円弧状のＵ字を逆さまにした形状のマット状の空気袋６を連結したものを二つ一組として、一つを犬の肩回りに他の一つを犬の腹回りまたは腰回りに取りつけて、犬の大きさに合せて雨よけとなるものを取り付けられる取付具。【選択図】図６
2020058361.tif 000002
【特許請求の範囲】
【請求項１】
剛性が大きくて硬い合成樹脂製の前から見て曲線部が円弧状のＵ字を逆さまにした形状の板状物（以下Ｕ字状の板状物と称す）の内面にしなやかなゴム、ゴム引き布、合成樹脂など製の前から見て曲線部が円弧状のＵ字を逆さまにした形状のマット状の空気袋（以下Ｕ字状の空気袋と称す）を連結したもの（以下Ｕ字状の硬軟連結物と称す）を二つ一組として用いる用具で、一つを犬の肩回りに他の一つを犬の腹回りまたは腰回りに取りつけて用いる用具であって、Ｕ字状の板状物が弾力のある平らな雨除けとなるものを湾曲して取りつける取りつけ具またはしなやかな平らな雨除けとなるものを取りつける骨組みとなるものを取りつける取りつけ具がつき、内面にＵ字状の空気袋を紐などで連結する場合には紐などを通す穴が開いたもので、Ｕ字状の空気袋が空気の出し入れ口の他に犬の体にまたは犬の体に取りつけたハーネスに紐などで取りつるための紐などを通す穴の開いたヒレ状物がつきまたＵ字状の板状物の内面に連結するためのヒレ状物がつき紐などで連結する場合には紐などを通す穴の開いたヒレ状物がついたもので、犬が雨の中肩回りから腹回りまたは腰回りまでがトンネル、屋根、家などの中や下に入りトンネル、屋根、家などの前後から頭と首の上に、腰と尾の上または尾の上にバイザー、傘などをさしかけたようになって歩くことができる、雨除けとなるものの犬の体への取りつけ用具。
【請求項２】
弾力のある平らな雨除けとなるものを湾曲して取りつける取りつけ具が、Ｕ字状の板状物の左右の側面に左右対象に一本のボルトがつきそれぞれのボルトに押さえ板とナットがついたもので、トンネル、バイザーなどの形状の雨除けとなるものの横幅を連続的に変えることができ、横幅の広いトンネル、バイザーなどの形状の雨除けとなるものを取りつけでき、トンネル状の雨除けとなるものの水平の調節ができ、三分割型の雨除けとなるものを取りつける場合、二つのバイザー状の雨除けとなるものの取りつけ角度を連続的に変えることができ前上がり、後ろ上がりにすることができ、さらに重りの取りつけ具、リードの取りつけ具も簡単に取りつけできるものであることを特徴とする、請求項１に記載の雨除けとなるものの犬の体への取りつけ用具。
【請求項３】
Ｕ字状の板状物が、前後のＵ字状の端に雨水止めの立ち上がり部があるＵ字状の板状物であることを特徴とする、請求項１に記載の雨除けとなるものの犬の体への取りつけ用具。
【請求項４】
しなやかな平らな雨除けとなるものを取り付ける骨組みとなるものを取り付ける取りつけ具が、しなやかな平らな雨除けとなるものに屋根、家などの形状を付与する骨組みとなる複数の弾力のある棒状物の取りつけ具と、高さの高いバイザー、傘などの形状を付与する骨組みとなる左右対象に長い脚部または柄部のあるバイザー、傘の形状の針金細工の取りつけ具であることを特徴とする、請求項１に記載の雨除けとなるものの犬の体への取りつけ用具。
【請求項５】
しなやかな平らな雨除けとなるものを取りつける骨組みとなるものを取りつけたＵ字状の板状物の左右の側面に左右対象に重りの取りつけ具の取りつけ具がついていることを特徴とする、請求項１に記載の雨除けとなるものの犬の体への取りつけ用具。
【請求項６】
請求項４に記載の弾力のある棒状物の取りつけ具が弾力のある棒状物とＵ字状の板状物との間の間隔を連続的に変えることができる取りつけ具で、屋根、家などの形状の雨除けとなるものと犬の体表との間の間隔を連続的に変えることができ、横幅や高さの高い屋根、家などの形状になる雨除けとなるものを取りつけでき、これらの形状の雨除けとなるものの水平の調節もできることを特徴とする、請求項１に記載の雨除けとなるものの犬の体への取りつけ用具。
【請求項７】
Ｕ字状の板状物の左右の側面に左右対象に重りの取り付け具が取り付けられていることを特徴とする、請求項１に記載の雨除けとなるものの犬の体への取りつけ用具。
【請求項８】
Ｕ字状の板状物の側面にリードの取りつけ具が取りつけられていることを特徴とする、請求項１に記載の雨除けとなるものの犬の体への取りつけ用具。
【発明の詳細な説明】
【技術分野】
【０００１】発明は、雨の中四つ足の犬がトンネル、屋根、家などの形状の雨除けとなるものの中や下に入り頭と首の上、腰と尾の上または尾の上にバイザーや傘などの形状の雨除けとなるものをさしかけたようにして歩くことができるようにする用具に関するもので、合成樹脂のシートやフィルムなどを用いて犬の大きさと体形に合わせて手作りで作ることのできる平らな雨除けとなるものを取りつける用具で、平らな雨除けとなるものを湾曲することでまたは針金などを用いて手作りで作ることのできる骨組みとなるものに取りつけることでこれらの形状にして犬の体に取りつける用具で、犬の肩回りの大きさに基づいて特大、大、中、小、特小のように大きさが段階的に異なる用具を用意することで様々な大きさ、様々な体形の犬に取りつけできる、雨除けとなるものの犬の体への取りつけ用具に関するものである。
【背景技術】
【０００２】犬用雨具に犬用レインコートがある。
【発明の概要】
【発明が解決しようとする課題】
【０００３】雨の中四つ足の犬がトンネル、屋根、家などの形状の雨除けとなるものの中や下に入り、頭と首の上、腰と尾の上または尾の上にバイザーや傘などの形状の雨除けとなるものをさしかけたようにして歩くことができるようにする。耳が立った犬、垂れた犬、胴が太い犬、細い犬、胴が長い犬、短い犬、足が長い犬、短い犬、尾が立った犬、垂れた犬など犬の体の大きさと体形は様々である。犬の体は軟らかくて歩くと体表が動き、体が左右に揺れる。犬はまた頭、首を動かし尾を振り排尿時には独特の動作をする。このような犬を雨に濡れぬようにするための雨除けとなるものには市販の弾力のあるゴム、合成樹脂のシートや板を用いて手作りで作ることのできる弾力のある平らな雨除けとなるもので犬の大きさと体形に合う、湾曲すると犬の肩回りから腹回りまでまたは腰回りまでがトンネルの中に入り、トンネルの前後から頭と首の上に、腰と尾の上または尾の上に高さの高いバイザーをさしかけたようになるもの、または市販のしなやかな防水布、ゴム、合成樹脂のフィルム、シートを用いて手作りで作ることのできるしなやかな平らな雨除けとなるもので犬の大きさと体形に合う、市販の散水用ホースなどを切った弾力のある棒状物、市販の針金を曲げ加工して作った高さの高いバイザーや傘の形状の針金細工の二種類の骨組みとなるものに取りつけることで犬の肩回りから腹回りまでまたは腰回りまでが屋根の下や家の中に入り屋根や家の前後から頭と首の上に、腰と尾の上または尾の上に高さの高いバイザーや傘などをさしかけたようになるものを用いることができる。骨組みとなるものへのしなやかな平らな雨除けとなるものの取りつけは簡単には洗濯バサミのような市販のクリップを用いて行うことができる。雨除けとなるものと骨組みとなるものの素材と形状をこのようなものにすることで犬の体を雨に濡れぬようにすることができ、犬が、耳、首、尾を自由に動かすことができ、排尿もできるようになる。犬の大きさと体形に合うこれらの雨除けとなるものの提供、しなやかな雨除けとなるものを取りつける骨組みとなるものの提供にはほとんど課題がない。課題はこれらのものを犬の体に取りつける用具にある。第一の課題は雨除けとなるものをそのようになるように、そのようなことができるように、形状を固定して、柔らかくて体表が動く犬の体に取りつけることである。多くの犬の体は立っているとき通常肩回りが一番大きく腹回り、腰回りは小さく背中がほぼ水平である。肩回り、腹回り、腰回りは人の場合のバスト、ウエスト、ヒップに相当する。第二の課題はこのような犬の体の肩回りと腹回りまたは腰回りの二箇所の間に弾力のある平らなまたはしなやかな平らな雨除けとなるものを前後の大きさと形状が同じで水平なトンネル、屋根、家などの形状に固定して犬の体に取りつけることである。第三の課題は第一、第二の課題が解決される用具を様々な大きさと様々な体形の犬に提供することである。第四の課題は犬の体に取りつけるものを犬の体表の動き、犬の体の左右の揺れ、犬の歩行を制約しないように取りつけること、また排尿時の動作を制約しないように取りつけること、第五の課題は犬の体に取りつけたものが前後へ大きくずれず、左右へ大きく傾かず、上方へ大きく飛び上がらぬようにすること、第六の課題は雨除けとなるものを取りつけた犬にリードを取りつけできるようにすることである。
【課題を解決するための手段】
【０００４】課題の解決は一つの課題の解決が他の課題の解決にもなるように解決する。第一の課題は剛性が大きくて硬い合成樹脂製の前から見て曲線部が円弧状のＵ字を逆さまにした形状の板状物（以下Ｕ字状の板状物と称す）の内面にしなやかなゴム、ゴム引き布、合成樹脂など製の前から見て曲線部が円弧状のＵ字を逆さまにした形状のマット状の空気袋（以下Ｕ字状の空気袋と称す）を連結したもの（以下Ｕ字状の硬軟連結物と称す）を二つ一組として用いることで解決する。弾力のある雨除けとなるものを湾曲して取りつけるものを、またはしなやかな雨除けとなるものを取りつける骨組みとなるものを取りつけるものを剛性が大きくて硬いＵ字状の板状物としこれらのものの取りつけ台としネジ、ボルト、押さえ板、ナット、円筒などから成る取りつけ具がついたものとする。Ｕ字状の空気袋を紐などで連結する場合には紐などを通す穴の開いたものとする。軟らかくて動く犬の体表に取りつけるものをＵ字状の空気袋とし空気の出し入れ口の他に犬の体に取りつけるために用いる、または犬の体に取りつけたハーネスに取りつけるために用いる紐などを通す穴の開いたヒレ状物がつきまたＵ字状の板状物の内面に連結するためのヒレ状物がつき紐などで連結する場合は紐などを通す穴の開いたヒレ状物がついたものとする。Ｕ字状の板状物とＵ字状の空気袋の連結をクリップなどでの圧接で行う場合にはＵ字状の板状物に穴は必要なくまたＵ字状の空気袋のＵ字状の板状物への連結用のヒレ状物に穴は必要ない。二つのＵ字状の硬軟連結物の二つのＵ字状の板状物に弾力のある平らな雨除けとなるものを湾曲して直接、またはしなやかな平らな雨除けとなるものを骨組みとなるものを介して取りつけ、二つのＵ字状の硬軟連結物の二つのＵ字状の空気袋に空気を入れ、一つのＵ字状の空気袋を犬の肩回りに被せて取りつけ他の一つのＵ字状の空気袋を腹回りまたは腰回りの所定の箇所に被せて取りつける。取りつけ順序は変えることができるものとする。第二の課題は、二つ一組の硬軟連結物の二つのＵ字状の板状物を大きい方の犬の肩回りに取りつけるＵ字状の板状物とし、二つのＵ字状の空気袋を厚み違いの空気袋とすることで解決する。肩回り、腹回り、腰回りの大きさが一定で体形もほぼ同じ特定の犬種の犬用の用具では、二つ一組のＵ字状の硬軟連結物の一つを犬の肩回りに取りつけるもので犬の肩回りに緩衝効果が得られる空気の層が形成されるＵ字状の硬軟連結物とし、もう一つのＵ字状の硬軟連結物をＵ字状の板状物が肩回りに取りつけるＵ字状の硬軟連結物のＵ字状の板状物に同じで空気袋が厚み違いで厚みが他のもう一つの取りつけ個所の外周に緩衝効果のある空気の層が形成され且つ肩回りから他のもう一つの取りつけ個所までの間のトンネル、屋根、家などの形状の雨除けとなるものを水平にすることができる厚みのものとした特定の大きさの二つ一組のＵ字状の硬軟連結物とすることで解決する。犬の肩回りに緩衝効果の得られる空気の層が形成されるＵ字状の硬軟連結物はＵ字状の板状物が側面の内面の横幅が犬の肩回りの横幅の１５０％位で、高さが犬の肩回りの高さにＵ字状の空気袋の厚みを加えた位で、前後の幅が犬の肩回りの前後の幅位のもので、Ｕ字状の空気袋が厚みが犬の肩回りの横幅の２５％位のような厚みのものとする。第二の課題は二つのＵ字状の空気袋を厚みがこの厚みよりより厚いもので中に入れる空気の量を調節することで肩回りから他のもう一つの取りつけ箇所までのトンネル、屋根、家などの形状の雨除けとなるものを水平にすることができる厚みのものとすることでも解決できる。さらに第二の課題は二つの硬軟連結物の大きさが異なる場合は平らな雨除けとなるものを湾曲してＵ字状の板状物に取りつける取りつけ具またはしなやかな平らな雨除けとなるものに屋根、家などの形状を付与する骨組みとなる複数の弾力のある棒状物のＵ字状の板状物への取りつけ具を雨除けとなるものとＵ字状の板状物の表面との間隔を、犬の体表との間隔を連続的に変えることができる取りつけ具とすることでも解決できる。この場合には水平の調節のみならず、横幅の広いトンネル、屋根、家などの形状の雨除けとなるものの取りつけが可能になり、しなやかな雨除けとなるものの場合は高さの高いものも取りつけ可能になる。通常二つ一組の硬軟連結物は二つの同じＵ字状の板状物にこれらの取りつけ具がついたものとする。第三の課題は大きさと体形がほぼ同じ特定の犬種用の用具の犬種の数を増やすこと、または犬の肩回りの大きさを特大、大、中、小、特小のように段階的にクラス分けし各クラスの犬の肩回りに緩衝効果が得られる空気の層が形成される肩回り取りつけ用の特大、大、中、小、特小などの段階的に大きさの異なるＵ字状の硬軟連結物を用意し、各クラスのＵ字状の硬軟連結物のＵ字状の板状物に同じＵ字状の板状物を別に用意し他のもう一つの取りつけ個所に取りつけるＵ字状の空気袋に厚みが段階的に異なる数種の厚み違いの空気袋を用意することで解決する。犬の肩回りに緩衝効果が得られる空気の層が形成されるＵ字状の硬軟連結物を選定し、そのＵ字状の硬軟連結物のＵ字状の板状物と同じＵ字状の板状物を選定し、他のもう一個所に取りつけるＵ字状の空気袋で厚みがもう一つの取りつけ個所の外周に緩衝効果が得られる空気の層が形成され且つ肩回りから他のもう一つの取りつけ個所までのトンネル、屋根、家などの形状の雨よけとなるものを水平にすることができる厚みのＵ字状の空気袋を選定する。選定したＵ字状の板状物と選定したＵ字状の空気袋を靴紐などの市販の紐類、付属の紐などで連結してもう一つのＵ字状の硬軟連結物として選定した肩回り取りつけ用のＵ字状の硬軟連結物と合わせて二つ一組のＵ字状の硬軟連結物として用いる。各クラスの犬の肩回りに緩衝効果が得られる空気の層が形成されるＵ字状の硬軟連結物の大きさは各クラスの犬の肩回りの横幅の平均値、高さの平均値、前後の幅の平均値を用いて第二の課題の解決で記載したように求めるものとする。犬の肩回り、腹回り、腰回りなどの形状が犬によって異なることへの対応はＵ字状の空気袋が犬の体表に沿って変形することで対応でき、犬の体長が犬によって異なることへの対応は二つ硬軟連結物の取りつけ間隔を変えることで対応できる。二つ一組の硬軟連結物は体形、体長が特殊な犬へも容易に取りつけできる。雨除けとなるものの犬の体への取りつけ用具と雨除けとなるものは具体的には以下のようなもの、以下のようにしたものである。弾力のある平らな雨除けとなるものを犬の体に取りつける用具の場合、二つ一組のＵ字状の硬軟連結物の二つの同じＵ字状の板状物を左右の側面に左右対象に一本のボルトがつきそれぞれのボルトに押さえ板とナットがついたものとする。ボルトの取りつけではボルトの頭がＵ字状の板状物の内面に出ないようにする。二つ一組の硬軟連結物の二つの同じＵ字状の板状物に取りつける弾力のある平らな雨除けとなるものは一体型または三分割型で犬の大きさと体形に合うものとする。一体型の雨除けとなるものは頭の上から尾の上まで繋がって一体となっているもので、湾曲すると頭と首の上、腰と尾の上または尾の上がバイザー状になり、肩回りから腹回りまでまたは腰回りまでがトンネル状になるもので、湾曲するとトンネル状になる正方形または長方形の部分の四隅にボルト穴が開いたもので、雨除けとなるものが犬の頭、耳、首、腰と尾または尾に触れぬよう湾曲したとき雨除けとなるもの全体の高さが高くなるよう板状物への取りつけ部分である正方形または長方形の部分の上下方向の幅を広くしたものとする。湾曲するとトンネル状になる正方形または長方形の部分の四隅の前後のボルト穴の前後の一方を前後方向に長い横長のボルト穴とし他方を上下方向に長い縦長のボルト穴にするとボルト穴とボルトの位置合わせが容易になりまた雨除けとなるものの水平の調節ができる。ナットを外径が大きいものにすると小さい力で、指の力でナットを外すことができ締めることができ取りつけ作業が容易になる。ボルトを長めのボルトにして複数の押さえ板と複数のナットを用いると横幅の広い雨除けとなるものを取りつけできまた雨除けとなるものとＵ字状の板状物との間の間隔を連続的に変えることができ、取りつけるとき障害になる紐などでの連結部を避けることもできる。二つ一組のＵ字状の硬軟連結物を犬の肩回りと腹回りまたは腰回りの所定の取りつけ間隔にして二つの同じＵ字状の板状物に弾力のある平らな一体型の雨除けとなるものを湾曲して取りつける。雨除けとなるものを取りつけたＵ字状の硬軟連結物のＵ字状の空気袋に空気を入れＵ字状の空気袋を犬の肩回りと腹回りまたは腰回りの所定の個所に被せて取りつける。肩回りへ取りつけるＵ字状の空気袋はヒレ状物のいずれかの穴を使って紐などで犬の前足に取りつけるかまたは犬の体に取りつけたハーネスに取りつける。ハーネスに取りつける場合ハーネスに取りつけ用の紐を縫いつける。腹回りへ取りつけるＵ字状の空気袋はヒレ状物のいずれかの穴を使って紐などで犬の腹の下を渡してＵ字状の空気袋の両下端付近を結びつける。腰回りに取りつけるＵ字状の空気袋はヒレ状物のいずれかの穴を用いて紐などで後ろ足に取りつける。後ろ足に紐などをつけられることを非常に嫌う犬の場合にはＵ字状の硬軟連結物のＵ字状の空気袋は腰の上に乗せるだけとしてＵ字状の板状物に取りつけたボルトに左右対象に重りの取りつけ具を取りつけ市販のボルトなどを重りとして取りつけ重りで雨除けとなるものを含む犬の腰回りに乗せたものを左右対象に下方に引っ張り、乗せたものの飛び上がり、左右への傾きを防止する。重りの取りつけ具を重さの異なる重りを取りつけできまた重りの地面からの高さを変えることができるものにすることもできる。重りの取りつけ具は他の個所に取りつけるＵ字状の硬軟連結物のＵ字状の板状物に取りつけてもよい。三分割型の弾力のある平らな雨除けとなるものは犬の肩回りから腹回りまたは腰回りまで用の雨除けとなるもので湾曲するとトンネル状になる正方形または長方形の形状で四隅に一体型の場合と同様なボルト穴が開いたものと、頭と首の上用と腰と尾の上または尾の上用の雨除けとなるもので湾曲すると左右対象に長い脚のついたバイザー状になるもので長い脚になる部分の先端付近に左右対象に丸いまたは上下方向に長い縦長のボルト穴の開いたものでトンネル状とバイザー状の雨除けとなるもので重なり部分があるものとする。二つのＵ字状の硬軟連結物を犬の肩回りと腹回りまたは腰回りの所定の間隔にしてボルトにトンネル状になる雨除けとなるもののボルト穴の上にバイザー状になる雨除けとなるもののボルト穴を重ねてボルトに通し押さえ板で挟んでナットで固定するかまたは押さえ板とナットの数を増やしてそれぞれ個別に間隔を開けて固定する。湾曲するとバイザー状になる雨除けとなるものを左右対象の一本のボルトに取りつけることでバイザー状の雨除けとなるものの角度を連続的に変えることができ、前上がり、後ろ上りにすることができボルト穴を縦長にした場合バイザー状の雨除けとなるものの高さを調節することができ高くすることができる。三分割型の雨除けとなるものの場合トンネル状の雨除けとなるものの前後から犬の体の上に雨水が流れ落ちる恐れがある。そのため三分割型の雨除けとなるものを取りつけるＵ字状の板状物の場合前後のＵ字状の端に立ち上がり部があるものとし立ち上がり部を雨水止めとする。内面にＵ字状の空気袋を紐などで連結するための紐などを通す穴は立ち上がり部の上部に開いたものとすることができる。トンネル状の雨除けとなるものの端が前後の立ち上がり部の間の上方になるようにする。Ｕ字状の硬軟連結物のＵ字状の空気袋の犬の体への取り付け方は弾力のある一体型の雨除けとなるものの場合と同様とする。重りの取りつけも一体型の場合と同様とする。一体型、三分割型ともに弾力のある平らな雨除けとなるものを湾曲して板状物に取りつけたとき形成される形状は主に平らな雨除けとなるものの形状、素材の弾性、湾曲固定の仕方の三つによって決まる。弾力のある雨除けとなるものには市販のゴム、合成樹脂のシートや板のほかロール状に巻き取られて売られている発泡合成樹脂板であるクッションフロアーのようなものも用いることができる。二つの硬軟連結物のＵ字状の板状物に弾力のある平らな雨除けとなるものを湾曲して取りつけることによって二つの硬軟連結物が連結され一体化され相互に動きが制約される。雨の日の多い季節には二つ一組のＵ字状の硬軟連結物に雨除けとなるものを取りつけ空気を入れた状態で保管することで雨除けとなるものを素早く犬の体に取りつけることができる。しなやかな平らな雨除けとなるものを犬の体に取りつける用具の場合、二つ一組のＵ字状の硬軟連結物の二つの同じＵ字状の板状物を、しなやかな平らな雨除けとなるものに屋根や家の形状を付与する骨組みとなる複数の弾力のある棒状物としなやかな平らな雨除けとなるものに高さの高いバイザーや傘などの形状を付与する骨組みとなる左右対象に長い脚または長い柄の部分のあるバイザーや傘の形状の針金細工の二種類の骨組みとなるものを取りつける取りつけ具がついたものとする。弾力のある棒状物の取りつけ具は棒状物の本数分左右対象に取りつける。左右対象に長い脚部または長い柄部のある針金細工の取りつけ具はＵ字状の板状物の左右の側面に左右対象に取りつける。弾力のある棒状物には市販の散水用ホースを二つのＵ字状の硬軟連結物を犬の体に取りつける間隔に合わせて切ったものなどを用いる。針金細工の針金にはビニール被覆線、銅線などで曲げ加工が容易で曲げたものの形状がよく保持されるものを用いる。複数の弾力のある棒状物を二つのＵ字状の板状物に取りつけ二つのＵ字状の硬軟連結物を連結して一体化すると共に肩回りから腹回りまたは腰回りの間の雨除けとなるものに屋根や家などの形状を付与する骨組みとなるものとする。弾力のある棒状物を三本用いると屋根の形状が付与され五本用いると家の形状が付与される。弾力のある棒状物の取りつけに棒状物とＵ字状の板状物の表面との間の間隔を連続的に変えることができる取りつけ具を用いると横幅の広い雨除け、高さの高い雨除けとなるものを取りつけでき、水平の調節ができる。しなやかな平らな雨除けとなるものは通常一体型の雨除けとなるものとする。最も簡単にはまた形状を問わぬ場合には正方形または長方形のしなやかな合成樹脂のフィルムやシートをそのまま用いることもできる。特小犬ではラップフィルムをカットしてそのまま用いることもできる。犬の体の二つの取りつけ個所の間隔の長さの複数の弾力のある棒状物および針金細工の骨組みとなるものを取りつけた、複数の弾力のある棒状物で連結したされた二つのＵ字状の硬軟連結物の骨組みとなるものの上に一体型のしなやかな平らな雨除けとなるものを被せてところどころ洗濯バサミのようなクリップで骨組みとなるものに止めつける。二つ一組のＵ字状の硬軟連結物の二つのＵ字状の空気袋の犬の体への取りつけ方は弾力のある雨除けとなるものの場合に同じとする。重りを取りつける場合には板状物の左右の側面に左右対象に重りの取りつけ具を取りつける。二つのＵ字状の硬軟連結物は弾力のある棒状物で連結されることで一体化され相互に動きが制約される。第四の課題は、犬が歩くことによって生じる力を弾力のある雨除けとなるもの、しなやかな雨除けとなるもの、空気袋、弾力のある棒状物などが変形することで吸収分散すること、Ｕ字状の硬軟連結物の取りつけ箇所を二箇所とし体表を覆う面積を少なくすること、Ｕ字状の硬軟連結物の一つを犬の腹回りに取りつけ腰回り、後ろ足周りを解放すること、腰回りに取りつける硬軟連結物を重りを用いて安定化することなどで解決する。Ｕ字状の硬軟連結物の一つを犬の腹回りに取りつけ後ろ足の周辺を解放することでオス犬の、尾の上のバイザー状の雨除けとなるものを後ろ上がりにすることでメス犬の排尿時の動作を容易にする。第五の課題は犬の肩回りに取りつけるＵ字状の硬軟連結物のＵ字状の空気袋を犬の前足にまたは犬の体に取りつけたハーネスに取りつけること、腹回りに取りつけるＵ字状の硬軟連結物のＵ字状の空気袋の左右の下端付近を紐などで腹の下を渡して繋ぐこと、Ｕ字状の板状物に重りの取りつけ具を取りつけ重りをつけて重りの力で犬の体に取りつけたものを下方に引っ張ることなどで解決する。第六の課題はＵ字状の板状物の側面にリードの取りつけ具を取りつけることで解決する。リードのードの取りつけ具は安全のため弛みをつけて首輪にも取りつけできるものとする。
【発明の効果】
【０００５】四つ足の犬が、様々な大きさの犬が、様々な体形の犬が雨の中トンネルや家のような形状の雨除けとなるものの中や下に入り、頭と首の上に、腰と尾の上または尾の上にバイザーや傘などのような形状の雨除けとなるものをさしかけて歩くことができるようになる。
【図面の簡単な説明】
【０００６】
【図１】弾力のある平らな雨除けとなるものを湾曲して取りつけるＵ字状の板状物の図で、左右の側面に左右対象に一本のボルトがつき、それぞれのボルトにボルトの固定用ナットと弾力のある雨除けとなるものを挟む二枚の押さえ板と雨除けとなるものの固定用の外径の大きい二つの丸ナットがつき内面にＵ字状の空気袋を紐などで連結するため穴が開いたものの図で前から見た図である。
【図２】図１に示すＵ字状の板状物の内面に連結するＵ字状の空気袋の図で、空気の出し入れ口の他に犬の体にまたは犬の体に取りつけたハーネスに紐などで取りつけるための紐などを通す穴が開いたヒレ状物がつき、またＵ字状の板状物の内面に紐などで連結するための紐などを通す穴が開いたヒレ状物がついたものを前から見た図である。
【図３】図２に示すＵ字状の空気袋の、犬の体にまたは犬の体に取りつけたハーネスに紐などで取りつけるための紐などを通す穴が開いたヒレ状物でＵ字状の空気袋の前後の幅位の長さのヒレ状物を上から見た図である。
【図４】図１に示すＵ字状の板状物を横から見た図である。
【図５】図２に示すＵ字状の空気袋を横から見た図である。
【図６】図１に示すようなＵ字状の板状物の内面に図２に示すようなＵ字状の空気袋を紐で連結したＵ字状の硬軟連結物の図で前から見た図である。
【図７】前後のＵ字状の端に立ち上がり部があり立ち上がり部を雨水止めとするＵ字状の板状物の図で立ち上がり部の上部に内面にＵ字状の空気袋を紐などで連結するための紐などを通す穴が開いたものの図で横から見た図である。
【図８】図７に示す立ち上がり部に穴のあるＵ字状の板状物の内面に紐などで連結するＵ字状の空気袋の図で横から見た図である。
【図９】弾力のある平らな一体型の雨除けとなるもので、湾曲すると犬の肩回りから腹回りまでが高さの高いトンネルの中に入り、トンネルの前後から頭と首の上に、腰と尾の上に高さの高いバイザーをさしかけたようになるもので、湾曲するとトンネル状になる長方形の部分の四隅にボルト穴がつき、前のボルト穴が横長で、後ろのボルト穴が縦長であるものの図で上から見た図である。
【図１０】弾力のある平らな三分割型の雨除けとなるものを二つの同じＵ字状の板状物で立ち上がり部のある図７に示すＵ字状の板状物に取りつけたもので二つのバイザー状の雨除けとなるものを前上がり、後ろ上がりにしたものを横から見た図である。
【図１１】Ｕ字状の板状物に取りつけられたボルトに取りつける重りの取りつけ具で棒状の重りを取りつける円筒状の重りの取りつけ部のもので重りの地面からの高さを調節できる縦長のボルト穴が開いたものを横から見た図である。
【図１２】しなやかな平らな雨除けとなるものを取りつけるＵ字状の板状物で、三本の弾力のある棒状物と左右対象に長い脚部または柄部のあるバイザーや傘の形状の針金細工の二種類の骨組みとなるものを取りつける円筒状の取りつけ具がついたもので、また左右の側面に左右対象にボルト、ナットから成る重りの取りつけ具の取りつけ具がついたものを横から見た図である。
【図１３】しなやかな平らな一体型の雨除けとなるもので骨組みとなるものに取りつけることで犬の肩回りから腰回りまでが屋根状になり、頭と首の上と尾の上がバイザー状になるものを上から見た図である。
【図１４】Ｕ字状の板状物に取りつける弾力のある棒状物の取りつけ具で、棒状物とＵ字状の板状物との間隔を連続的に変えることができる取りつけ具で一枚の回転する支柱を用いるものを横から見た図である。
【図１５】リードの取りつけ具でＵ字状の板状物に取りつけられたボルトに取りつけるものを前から見た図である。
【図１６】図１５のリードの取りつけ具を横からの見た図である。
【発明を実施するための形態】
【０００７】成型加工機で作ったもの、成型加工機で作ったものを組み立てたもので次の三つのものを提供する。弾力のある平らな雨除けとなるものを犬の体に取りつける場合は、一つ目は犬の肩回りの大きさを特大、大、中、小、特小のように段階的にクラス分けし各クラスの犬の肩回りの大きさに対応した特大、大、中、小、特小のように大きさが段階的に異なる肩回りに緩衝効果の得られる空気の層が形成される肩回り取りつけ用のＵ字状の硬軟連結物で図６に示すようＵ字状の硬軟連結物、二つ目は別途作るもので各クラスの大きさのＵ字状の硬軟連結物の各クラスの大きさのＵ字状の板状物で図１に示すようなＵ字状の板状物、三つ目は各クラスの大きさのＵ字状の板状物それぞれの内面に連結するＵ字状の空気袋で犬の腹回りまたは腰回り取りつけ用で段階的に厚みが異なる数種の厚み違いのＵ字状の空気袋で図２に示すようなＵ字状の空気袋である。犬の飼い主が飼い犬の肩回りに緩衝効果が得られる空気の層が形成される肩回り取りつけ用のＵ字状の硬軟連結物を選定する。次にこのＵ字状の硬軟連結物のＵ字状の板状物と同じＵ字状の板状物を選定する。次にこのＵ字状の板状物の内面に連結する飼い犬の腹回りまたは腰回りのいずれか一方の所定の取りつけ個所の外周に緩衝効果の得られる空気の層が形成され且つ肩回りから他のもう一つの所定の取り付け個所までの間のトンネル状の雨除けとなるものを水平にすることができる厚みのＵ字状の空気袋を選定する。選定したＵ字状の板状物の内面に選定したＵ字状の空気袋を靴紐などの市販の紐または付属の紐などで連結しＵ字状の硬軟連結物とし選定した肩回り取りつけ用のＵ字状の硬軟連結物と合わせ二つ一組のＵ字状の硬軟連結物として用いる。弾力のある平らな雨除けとなるものは市販の弾力のあるゴム、合成樹脂のシート、板を用いて犬の大きさと体形に合わせてハサミとナイフを使って一体型の場合は図９に示すような平らな雨除けとなるものを作る。弾力のある雨除けとなるもののＵ字状の板状物への取りつけはボルト５や押え板４を外して行う。図１１に示すような重りの取りつけ具、図１５に示すようなリードの取りつけ具が取りつけられている場合は一旦取り外す。しなやかな平らな雨除けとなるものを取りつける場合は三つのものの中の全てのＵ字状の板状物を図１２に示すようなＵ字状の板状物にしたものとする。しなやかな平らな雨除けとなるものは市販の防水布、ゴム、合成樹脂のフィルム、シートを用いて、ハサミを使って飼い犬の大きさと体形にあうもので図１３に示すようなものを作る。二種類の骨組みとなるもので弾力のある棒状物は市販の散水用ホースのようなものを飼い犬の肩回りからもう一つの所定の取りつけ個所までの長さに合わせてハサミで切って作る。骨組みとなるもので左右対象に長い脚部または長い柄部のあるバイザーや傘などの形状を付与する針金細工は飼い犬の頭、首、腰、尾の大きさと形状に合わせて市販の針金をペンチで曲げて作る。これらの二種類の骨組みとなるものを２４と２６に示すような骨組みとなるものの取りつけ具に取りつける。弾力のある複数の棒状物で連結された二つ一組のＵ字状の硬軟連結物の骨組みとなるものの上に手作りの図１３に示すようなしなやかな平らな一体型の一体型の雨除けとなるものを被せて所々洗濯バサミのようなクリップで骨組みとなるものに止めつける。雨除けとなるものを取りつけた二つ一組のＵ字状の硬軟連結物の犬の体への取りつけは課題を解決するための手段に記載したようなものとする。大きさと体形がほぼ一定の特定の同一犬種用の用具はその犬種の犬の肩回りにも他のもう一つの取りつけ個所の外周にも緩衝効果のある空気の層が形成され、二つの取りつけ個所の間のトンネル、屋根、家などの形状の雨除けとなるものを水平にすることができる特定の二つ一組のＵ字状の硬軟連結物として提供する。更に雨除けとなるもの、骨組みとなるもの全てを特定の大きさ、特定の形状のもので成型加工機製とし、組み立てセットとして、または組み立て済みの完成品として提供する。
【符号の説明】
【０００８】  １  Ｕ字状の板状物
２  ボルトでネジ山の記載を省略したもの、他の同形も同
３  ボルトの固定用ナット、ヘックスの記載を省略したもの、他の同形も同
４  押さえ板、他の同形も同
５  雨除けとなるものの固定用の外径の大きい丸ナット、他の同形も同
６  Ｕ字状の空気袋
７  空気の出し入れ口
８  犬の体にまたは犬の体に取りつけたハーネスに取りつけるための紐などを通す穴の開いたヒレ状物
９  犬の体にまたは犬の体に取りつけたハーネスに取りつけるための紐などを通す穴、他の同形も同
１０  Ｕ字状の板状物の内面に連結するための紐などを通す穴の開いたヒレ状物
１１  Ｕ字状の板状物の内面に連結するための紐などを通す穴、他の同形も同
１２  内面にＵ字状の空気袋を連結するための紐などを通す穴、他の同形も同
１３  Ｕ字状の板状物の内面にＵ字状の空気袋を連結した紐
１４  Ｕ字状の板状物の立ち上り部で立ち上がり部に内面にＵ字状の空気袋を連結するための紐などを通す穴が開いた立ち上り部
１５  穴の開いた立ち上がり部のあるＵ字状の板状物の内面に紐などで連結する、Ｕ字状の空気袋の紐などを通す穴の開いたヒレ状物
１６  湾曲すると犬の肩回りから腹回りまでが高さの高いトンネル状の雨除けになる長方形の部分
１７  湾曲すると頭と首の上の高さの高いバイザー状の雨除けになる部分
１８  湾曲すると腰と尾の高さが高いバイザー状の雨除けになる部分
１９  横長のボルト穴、他の同形も同
２０  縦長のボルト穴、他の同形も同
２１  Ｕ字状の板状物についたボルトに取りつけるための縦長のボルト穴
２２  棒状の重りを取りつける場合の円筒状の重りの取りつけ部
２３  重りを固定するネジ、他の同形も同
２４  骨組みとなる弾力のある棒状物を取りつける円筒状の取りつけ具
２５  弾力のある棒状物固定用のネジ、他の同形も同
２６  骨組みとなる針金細工の脚の先端部を水平に折り曲げて取りつける円筒状の取り付け具
２７  針金細工の脚の固定用のネジ、他の同形も同
２８  重りやリードの取りつけ具のボルト
２９  重りやリードの取りつけ具の丸ナット
３０  回転する支柱
３１  回転する支柱への取りつけ部のある円筒状の弾力のある棒状物の取りつけ部
３２  弾力のある棒状物固定用のネジ、他の同形も同
３３  回転止めのネジ、他の同形も同
３４  Ｕ字状の板状物への取りつけ台
３５  Ｕ字状の板状物についたボルトに取りつけるためのボルト穴
３６  リード取りつけ用の半円状のリング
３７  首輪につなぐ紐などを取りつけるための半円状のリング
【図１】
2020058361.tif 000003
【図２】
2020058361.tif 000004
【図３】
2020058361.tif 000005
【図４】
2020058361.tif 000006
【図５】
2020058361.tif 000007
【図６】
2020058361.tif 000008
【図７】
2020058361.tif 000009
【図８】
2020058361.tif 000010
【図９】
2020058361.tif 000011
【図１０】
2020058361.tif 000012
【図１１】
2020058361.tif 000013
【図１２】
2020058361.tif 000014
【図１３】
2020058361.tif 000015
【図１４】
2020058361.tif 000016
【図１５】
2020058361.tif 000017
【図１６】
2020058361.tif 000018